(57)【要約】【課題】  充分な殺菌力を有し、かつ、金属腐食性が抑えられた洗浄剤組成物を提供する。【解決手段】  テトラアルキルアンモニウムメトサルフェートと、オクタデシルジメチル（３−トリメトキシシリルプロピル）アンモニウムクロライドと、ポリオキシアルキレンアルキルエーテルと、アルキルグルコシド及び脂肪酸アルカノールアミドからなる群から選択される少なくとも１種とを含むことを特徴とする洗浄剤組成物。【選択図】  なし【特許請求の範囲】
【請求項１】
テトラアルキルアンモニウムメトサルフェートと、
トリアルキル（３−トリアルコキシシリルプロピル）アンモニウムクロライドと、
ポリオキシアルキレンアルキルエーテルと、
アルキルグルコシド及び脂肪酸アルカノールアミドからなる群から選択される少なくとも１種とを含むことを特徴とする洗浄剤組成物。
【請求項２】
前記テトラアルキルアンモニウムメトサルフェートの含有量は、０．１〜２０重量％であり、
前記トリアルキル（３−トリアルコキシシリルプロピル）アンモニウムクロライドの含有量は、０．０１〜５重量％であり、
前記ポリオキシアルキレンアルキルエーテルの含有量は、１〜１５重量％であり、
前記アルキルグルコシド及び前記脂肪酸アルカノールアミドの合計含有量は、１０〜２０重量％である請求項１に記載の洗浄剤組成物。
【請求項３】
テトラアルキルアンモニウムメトサルフェートと、
ビグアナイド系殺菌剤と、
ポリオキシアルキレンアルキルエーテルと、
脂肪酸アルカノールアミドと
アルキルアミンオキシドとを含むことを特徴とする洗浄剤組成物。
【請求項４】
前記テトラアルキルアンモニウムメトサルフェートの含有量は、０．１〜２０重量％であり、
前記ビグアナイド系殺菌剤の含有量は、１〜１０重量％であり、
前記ポリオキシアルキレンアルキルエーテルの含有量は、１〜２０重量％であり、
前記脂肪酸アルカノールアミドの含有量は、１〜１０重量％であり、
前記アルキルアミンオキシドの含有量は、１〜１０重量％である請求項３に記載の洗浄剤組成物。
【請求項５】
アルカリ剤と、
ジアルキルメチルポリオキシエチルアンモニウムプロピオネートと、
ポリオキシアルキレンアルキルエーテルと、
アルキルグルコシドと、
アルキルアミンオキシドとを含むことを特徴とする洗浄剤組成物。
【請求項６】
前記アルカリ剤の含有量は、１〜２０重量％であり、
前記ジアルキルメチルポリオキシエチルアンモニウムプロピオネートの含有量は、０．１〜２０重量％であり、
前記ポリオキシアルキレンアルキルエーテルの含有量は、１〜１５重量％であり、
前記アルキルグルコシドの含有量は、１〜１０重量％であり、
前記アルキルアミンオキシドの含有量は、１〜１０重量％である請求項５に記載の洗浄剤組成物。
【請求項７】
溶剤と、
塩酸アルキルジ（アミノエチル）グリシンと、
ナトリウムアルキルジ（アミノエチル）グリシンと、
テトラアルキルアンモニウムカーボネートと、
アルキルアミンオキシドとを含むことを特徴とする洗浄剤組成物。
【請求項８】
前記溶剤の含有量は、０．１〜１．５重量％であり、
前記塩酸アルキルジ（アミノエチル）グリシンの含有量は、０．２５〜１．２５重量％であり、
前記ナトリウムアルキルジ（アミノエチル）グリシンの含有量は、０．２５〜１．２５重量％であり、
前記テトラアルキルアンモニウムカーボネートの含有量は、０．２５〜１．２５重量％であり、
前記アルキルアミンオキシドの含有量は、０．１〜５．０重量％である請求項７に記載の洗浄剤組成物。
【請求項９】
アルカリ剤と、
溶剤と、
ジメチルジオクチルアンモニウムクロライドと、
アルキルヒドロキシエチルアンモニウムクロライドと、
ポリオキシアルキレンアルキルエーテルと、
アルキルアミンオキシドとを含むことを特徴とする洗浄剤組成物。
【請求項１０】
前記アルカリ剤の含有量は、３〜３０重量％であり、
前記溶剤の含有量は、１〜１０重量％であり、
前記ジメチルジオクチルアンモニウムクロライドの含有量は、０．１〜２０重量％であり、
前記アルキルヒドロキシエチルアンモニウムクロライドの含有量は、０．１〜２０重量％であり、
前記ポリオキシアルキレンアルキルエーテルの含有量は、１〜１５重量％であり、
前記アルキルアミンオキシドの含有量は、０．１〜２０重量％である請求項９に記載の洗浄剤組成物。
【請求項１１】
アルカリ剤と、
溶剤と、
テトラアルキルアンモニウムアジペートと、
アルキルアミンオキシドとを含むことを特徴とする洗浄剤組成物。
【請求項１２】
前記アルカリ剤の含有量は、３〜１０重量％であり、
前記溶剤の含有量は、１〜１０重量％であり、
前記テトラアルキルアンモニウムアジペートの含有量は、０．０１〜０．１５重量％であり、
前記アルキルアミンオキシドの含有量は、０．１〜３．０重量％である請求項１１に記載の洗浄剤組成物。
【請求項１３】
溶剤と、
アルキルイミダゾリン型カチオン界面活性剤と、
テトラアルキルアンモニウムメトサルフェートと、
ポリオキシアルキレンアルキルエーテルと、
有機酸とを含むことを特徴とする洗浄剤組成物。
【請求項１４】
前記溶剤の含有量は、１〜１５重量％であり、
前記アルキルイミダゾリン型カチオン界面活性剤の含有量は、５〜１５重量％であり、
前記テトラアルキルアンモニウムメトサルフェートの含有量は、０．１〜１０重量％であり、
前記ポリオキシアルキレンアルキルエーテルの含有量は、１〜１０重量％であり、
前記有機酸の含有量は、０．１〜５重量％である請求項１３に記載の洗浄剤組成物。
【発明の詳細な説明】
【技術分野】
【０００１】
本発明は、洗浄剤組成物に関する。
【背景技術】
【０００２】
第四級アンモニウム塩の中には、殺菌作用を有する化合物がある。特に、塩化ジデシルジメチルアンモニウムは殺菌作用が強く、種々の洗浄剤組成物の成分として広く使用されている。
【０００３】
例えば、特許文献１には、ジ長鎖アルキルジ短鎖アルキルアンモニウム塩１重量部に対して、両性界面活性剤０．０１〜１．２重量部、ポリオキシエチレンオキシプロピレンアルキルエーテル０．３〜１．２重量部およびエタノール０．１〜６重量部を含有する水溶液からなる殺菌洗浄剤組成物が記載されており、ジ長鎖アルキルジ短鎖アルキルアンモニウム塩として、ジデシルジメチルアンモニウムクロライド（塩化ジデシルジメチルアンモニウム）が使用できることが記載されている。
【先行技術文献】
【特許文献】
【０００４】
【特許文献１】特開２００５−２３９８２５号公報
【発明の概要】
【発明が解決しようとする課題】
【０００５】
塩化ジデシルジメチルアンモニウムは、殺菌力が強い反面、金属腐食性が強く、金属製品や金属器具の近くで使用することには不向きであった。
【課題を解決するための手段】
【０００６】
本発明は上記問題点を解決するためになされた発明であり、充分な殺菌力を有し、かつ、金属腐食性が抑えられた洗浄剤組成物を提供することである。
【０００７】
すなわち、本発明の洗浄剤組成物は、テトラアルキルアンモニウムメトサルフェートと、トリアルキル（３−トリアルコキシシリルプロピル）アンモニウムクロライドと、ポリオキシアルキレンアルキルエーテルと、アルキルグルコシド及び脂肪酸アルカノールアミドからなる群から選択される少なくとも１種とを含むことを特徴とする。
【０００８】
上記本発明の洗浄剤組成物では、上記テトラアルキルアンモニウムメトサルフェートの含有量は、０．１〜２０重量％であり、上記トリアルキル（３−トリアルコキシシリルプロピル）アンモニウムクロライドの含有量は、０．０１〜５重量％であり、上記ポリオキシアルキレンアルキルエーテルの含有量は、１〜１５重量％であり、上記アルキルグルコシド及び上記脂肪酸アルカノールアミドの合計含有量は、１０〜２０重量％であることが望ましい。
【０００９】
また、別の本発明の洗浄剤組成物は、テトラアルキルアンモニウムメトサルフェートと、ビグアナイド系殺菌剤と、ポリオキシアルキレンアルキルエーテルと、脂肪酸アルカノールアミドとアルキルアミンオキシドとを含むことを特徴とする。
【００１０】
上記本発明の洗浄剤組成物では、上記テトラアルキルアンモニウムメトサルフェートの含有量は、０．１〜２０重量％であり、上記ビグアナイド系殺菌剤の含有量は、１〜１０重量％であり、上記ポリオキシアルキレンアルキルエーテルの含有量は、１〜２０重量％であり、上記脂肪酸アルカノールアミドの含有量は、１〜１０重量％であり、上記アルキルアミンオキシドの含有量は、１〜１０重量％であることが望ましい。
【００１１】
また、本発明の別の洗浄剤組成物は、アルカリ剤と、ジアルキルメチルポリオキシエチルアンモニウムプロピオネートと、ポリオキシアルキレンアルキルエーテルと、アルキルグルコシドと、アルキルアミンオキシドとを含むことを特徴とする。
【００１２】
上記本発明の洗浄剤組成物では、上記アルカリ剤の含有量は、１〜２０重量％であり、上記ジアルキルメチルポリオキシエチルアンモニウムプロピオネートの含有量は、０．１〜２０重量％であり、上記ポリオキシアルキレンアルキルエーテルの含有量は、１〜１５重量％であり、上記アルキルグルコシドの含有量は、１〜１０重量％であり、上記アルキルアミンオキシドの含有量は、１〜１０重量％であることが望ましい。
【００１３】
また、本発明の別の洗浄剤組成物は、溶剤と、塩酸アルキルジ（アミノエチル）グリシンと、ナトリウムアルキルジ（アミノエチル）グリシンと、テトラアルキルアンモニウムカーボネートと、アルキルアミンオキシドとを含むことを特徴とする。
【００１４】
上記本発明の洗浄剤組成物では、上記溶剤の含有量は、０．１〜１．５重量％であり、上記塩酸アルキルジ（アミノエチル）グリシンの含有量は、０．２５〜１．２５重量％であり、上記ナトリウムアルキルジ（アミノエチル）グリシンの含有量は、０．２５〜１．２５重量％であり、上記テトラアルキルアンモニウムカーボネートの含有量は、０．２５〜１．２５重量％であり、上記アルキルアミンオキシドの含有量は、０．１〜５．０重量％であることが望ましい。
【００１５】
また、本発明の別の洗浄剤組成物は、アルカリ剤と、溶剤と、ジメチルジオクチルアンモニウムクロライドと、アルキルヒドロキシエチルアンモニウムクロライドと、ポリオキシアルキレンアルキルエーテルと、アルキルアミンオキシドとを含むことを特徴とする。
【００１６】
上記本発明の洗浄剤組成物では、上記アルカリ剤の含有量は、３〜３０重量％であり、上記溶剤の含有量は、１〜１０重量％であり、上記ジメチルジオクチルアンモニウムクロライドの含有量は、０．１〜２０重量％であり、上記アルキルヒドロキシエチルアンモニウムクロライドの含有量は、０．１〜２０重量％であり、上記ポリオキシアルキレンアルキルエーテルの含有量は、１〜１５重量％であり、上記アルキルアミンオキシドの含有量は、０．１〜２０重量％であることが望ましい。
【００１７】
また、本発明の別の洗浄剤組成物は、アルカリ剤と、溶剤と、テトラアルキルアンモニウムアジペートと、アルキルアミンオキシドとを含むことを特徴とする。
【００１８】
上記本発明の洗浄剤組成物では、上記アルカリ剤の含有量は、３〜１０重量％であり、上記溶剤の含有量は、１〜１０重量％であり、上記テトラアルキルアンモニウムアジペートの含有量は、０．０１〜０．１５重量％であり、上記アルキルアミンオキシドの含有量は、０．１〜３．０重量％であることが望ましい。
【００１９】
また、本発明の別の洗浄剤組成物は、溶剤と、アルキルイミダゾリン型カチオン界面活性剤と、テトラアルキルアンモニウムメトサルフェートと、ポリオキシアルキレンアルキルエーテルと、有機酸とを含むことを特徴とする。
【００２０】
上記本発明の洗浄剤組成物では、上記溶剤の含有量は、１〜１５重量％であり、上記アルキルイミダゾリン型カチオン界面活性剤の含有量は、５〜１５重量％であり、上記テトラアルキルアンモニウムメトサルフェートの含有量は、０．１〜１０重量％であり、上記ポリオキシアルキレンアルキルエーテルの含有量は、１〜１０重量％であり、有機酸の含有量は、０．１〜５重量％であることが望ましい。
【発明の効果】
【００２１】
本発明の洗浄剤組成物は、第四級アンモニウム塩として、塩化ジデシルジメチルアンモニウムを含まない。そのため、金属腐食性が抑えられている。
また、本発明の洗浄剤組成物は、殺菌作用を有する第四級アンモニウム塩を含む。そのため、本発明の洗浄剤組成物を使用することにより、洗浄対象を充分に殺菌することができる。
【発明を実施するための形態】
【００２２】
以下、本発明の洗浄剤組成物について具体的な実施形態を示しながら説明する。しかしながら、本発明は、以下の実施形態に限定されるものではなく、本発明の要旨を変更しない範囲において適宜変更して適用することができる。
【００２３】
（第１実施形態）
本発明の第１実施形態に係る洗浄剤組成物は、テトラアルキルアンモニウムメトサルフェートと、トリアルキル（３−トリアルコキシシリルプロピル）アンモニウムクロライドと、ポリオキシアルキレンアルキルエーテルと、アルキルグルコシド及び脂肪酸アルカノールアミドからなる群から選択される少なくとも１種とを含むことを特徴とする。
【００２４】
本発明の第１実施形態に係る洗浄剤組成物では、第四級アンモニウム塩として、テトラアルキルアンモニウムメトサルフェート及びトリアルキル（３−トリアルコキシシリルプロピル）アンモニウムクロライドとを含む。テトラアルキルアンモニウムメトサルフェート及びトリアルキル（３−トリアルコキシシリルプロピル）アンモニウムクロライドは、殺菌作用を有するので、本発明の第１実施形態に係る洗浄剤組成物は、充分な殺菌力を有する。
また、テトラアルキルアンモニウムメトサルフェートは、ジデシルジメチルアンモニウムメトサルフェートであることが望ましい。
また、トリアルキル（３−トリアルコキシシリルプロピル）アンモニウムクロライドは、オクタデシルジメチル（３−トリメトキシシリルプロピル）アンモニウムクロライドであることが望ましい。
【００２５】
また、本発明の第１実施形態に係る洗浄剤組成物は、塩化ジデシルジメチルアンモニウムを含まない。そのため、本発明の第１実施形態に係る洗浄剤組成物は、金属腐食性が抑えられている。
【００２６】
本発明の第１実施形態に係る洗浄剤組成物には、ポリオキシアルキレンアルキルエーテルが含まれているので、洗浄力及び起泡力が高い。
【００２７】
本発明の第１実施形態に係る洗浄剤組成物において、ポリオキシアルキレンアルキルエーテルのアルキル基の炭素数は、８〜１８個であることが望ましい。
また、ポリオキシアルキレンアルキルエーテルのオキシアルキレン基は、オキシエチレン基及び／又はオキシプロプレン基であることが望ましい。また、オキシアルキレン基の数は、６〜２０個であることが望ましい。
【００２８】
本発明の第１実施形態に係る洗浄剤組成物において、アルキルグルコシド及び脂肪酸アルカノールアミドは、いずれか一方のみ含まれていてもよいが、両方とも含まれている方が望ましい。
【００２９】
本発明の第１実施形態に係る洗浄剤組成物が、アルキルグルコシドを含む場合、洗浄力が高くなる。また、アルキルグルコシドにより、他の成分が可溶化しやすくなる。
【００３０】
本発明の第１実施形態に係る洗浄剤組成物が、アルキルグルコシドを含む場合、アルキルグルコシドのアルキル基の炭素数は、８〜１８個であることが望ましい。
【００３１】
本発明の第１実施形態に係る洗浄剤組成物が、脂肪酸アルカノールアミドを含む場合、
起泡力が高くなる。また、脂肪酸アルカノールアミドにより他の成分が可溶化しやすくなる。
【００３２】
本発明の第１実施形態に係る洗浄剤組成物が、脂肪酸アルカノールアミドを含む場合、脂肪酸アルカノールアミドの脂肪酸の炭素数は、８〜１８個であることが望ましい。
また、脂肪酸アルカノールアミドとしては、脂肪酸ジエタノールアミドであることが望ましい。
【００３３】
本発明の第１実施形態に係る洗浄剤組成物では、テトラアルキルアンモニウムメトサルフェートの含有量は、０．１〜２０重量％であることが望ましく、１０〜２０重量％であることがより望ましい。
【００３４】
本発明の第１実施形態に係る洗浄剤組成物では、トリアルキル（３−トリアルコキシシリルプロピル）アンモニウムクロライドの含有量は、０．０１〜５重量％であることが望ましく、０．２５〜３重量％であることがより望ましい。
【００３５】
本発明の第１実施形態に係る洗浄剤組成物では、ポリオキシアルキレンアルキルエーテルの含有量は、１〜１５重量％であることが望ましく、５〜１５重量％であることがより望ましい。
【００３６】
本発明の第１実施形態に係る洗浄剤組成物では、アルキルグルコシドの含有量は、５〜１５重量％であることが望ましい。
【００３７】
本発明の第１実施形態に係る洗浄剤組成物では、脂肪酸アルカノールアミドの含有量は、３〜８重量％であることがより望ましい。
【００３８】
本発明の第１実施形態に係る洗浄剤組成物では、アルキルグルコシド及び上記脂肪酸アルカノールアミドの合計含有量は、１０〜２０重量％であることがより望ましい。
【００３９】
本発明の第１実施形態に係る洗浄剤組成物の各成分が上記の範囲であると、配合バランスがよく、効率よく殺菌することができる。
【００４０】
本発明の第１実施形態に係る洗浄剤組成物の１００倍希釈時のｐＨは、５〜８であることが望ましい。
【００４１】
本発明の第１実施形態に係る洗浄剤組成物は、０．２〜１．０重量％の濃度となるように水で希釈して使用することが望ましい。また、床や調理台など厨房環境全般の洗浄・除菌を行う為に使用することが望ましい。
【００４２】
（第２実施形態）
本発明の第２実施形態に係る洗浄剤組成物は、テトラアルキルアンモニウムメトサルフェートと、ビグアナイド系殺菌剤と、ポリオキシアルキレンアルキルエーテルと、脂肪酸アルカノールアミドと、アルキルアミンオキシドとを含むことを特徴とする。
【００４３】
本発明の第２実施形態に係る洗浄剤組成物では、第四級アンモニウム塩として、テトラアルキルアンモニウムメトサルフェートを含む。テトラアルキルアンモニウムメトサルフェートは、殺菌作用を有する。
また、本発明の第２実施形態に係る洗浄剤組成物は、ビグアナイド系殺菌剤を含む。ビグアナイド系殺菌剤も殺菌作用を有する。
従って、本発明の第２実施形態に係る洗浄剤組成物は、充分な殺菌力を有する。
また、テトラアルキルアンモニウムメトサルフェートは、ジデシルジメチルアンモニウムメトサルフェートであることが望ましい。
ビグアナイド系殺菌剤は、ポリヘキサメチレンビグアナイドであることが望ましい。
【００４４】
また、本発明の第２実施形態に係る洗浄剤組成物は、塩化ジデシルジメチルアンモニウムを含まない。そのため、本発明の第２実施形態に係る洗浄剤組成物は、金属腐食性が抑えられている。
【００４５】
また、本発明の第２実施形態に係る洗浄剤組成物では、テトラアルキルアンモニウムメトサルフェート及びビグアナイド系殺菌剤の２種類の殺菌剤が配合されているので、抗菌スペクトルが広い。
【００４６】
また、本発明の第２実施形態に係る洗浄剤組成物には、ポリオキシアルキレンアルキルエーテルが含まれているので、洗浄力及び起泡力が高い。
【００４７】
本発明の第２実施形態に係る洗浄剤組成物において、ポリオキシアルキレンアルキルエーテルのアルキル基の炭素数は、８〜１８個であることが望ましい。
また、ポリオキシアルキレンアルキルエーテルのオキシアルキレン基は、オキシエチレン基及び／又はオキシプロプレン基であることが望ましい。また、オキシアルキレン基の数は、６〜２０個であることが望ましい。
【００４８】
また、本発明の第２実施形態に係る洗浄剤組成物には、脂肪酸アルカノールアミドが含まれているので起泡力が高い。また、脂肪酸アルカノールアミドにより他の成分が可溶化しやすくなる。
【００４９】
本発明の第２実施形態に係る洗浄剤組成物において、脂肪酸アルカノールアミドの脂肪酸の炭素数は、８〜１８個であることが望ましい。
また、脂肪酸アルカノールアミドとしては、脂肪酸ジエタノールアミドであることが望ましい。
【００５０】
本発明の第２実施形態に係る洗浄剤組成物は、アルキルアミンオキシドを含むので、洗浄力及び起泡力が高い。
【００５１】
また、本発明の第２実施形態に係る洗浄剤組成物において、アルキルアミンオキシドのアルキル基の炭素数は、８〜１８個であることが望ましい。
【００５２】
本発明の第２実施形態に係る洗浄剤組成物では、テトラアルキルアンモニウムメトサルフェートの含有量は、０．１〜２０重量％であることが望ましく、５〜１５重量％であることがより望ましい。
【００５３】
本発明の第２実施形態に係る洗浄剤組成物では、ビグアナイド系殺菌剤の含有量は、１〜１０重量％であることが望ましく、５〜１０重量％であることがより望ましい。
【００５４】
本発明の第２実施形態に係る洗浄剤組成物では、ポリオキシアルキレンアルキルエーテルの含有量は、１〜２０重量％であることが望ましく、１０〜２０重量％であることがより望ましい。
【００５５】
本発明の第２実施形態に係る洗浄剤組成物では、脂肪酸アルカノールアミドの含有量は、１〜１０重量％であることが望ましく、３〜１０重量％であることがより望ましい。
【００５６】
本発明の第２実施形態に係る洗浄剤組成物では、アルキルアミンオキシドの含有量は、１〜１０重量％であることが望ましく、１〜５重量％であることがより望ましい。
【００５７】
本発明の第２実施形態に係る洗浄剤組成物の各成分が上記の範囲であると、配合バランスがよく、効率よく殺菌することができる。
【００５８】
本発明の第２実施形態に係る洗浄剤組成物の１００倍希釈時のｐＨは、６〜８であることが望ましい。
【００５９】
本発明の第２実施形態に係る洗浄剤組成物は、０．３〜１．０重量％の濃度となるように水で希釈して使用することが望ましい。また、床や調理台など厨房環境全般の洗浄・除菌を行う為に使用することが望ましい。
【００６０】
（第３実施形態）
本発明の第３実施形態に係る洗浄剤組成物は、アルカリ剤と、ジアルキルメチルポリオキシエチルアンモニウムプロピオネートと、ポリオキシアルキレンアルキルエーテルと、アルキルグルコシドと、アルキルアミンオキシドとを含むことを特徴とする。
【００６１】
本発明の第３実施形態に係る洗浄剤組成物では、第四級アンモニウム塩として、ジアルキルメチルポリオキシエチルアンモニウムプロピオネートを含む。ジアルキルメチルポリオキシエチルアンモニウムプロピオネートは、殺菌作用を有するので、本発明の第３実施形態に係る洗浄剤組成物は、充分な殺菌力を有する。
ジアルキルメチルポリオキシエチルアンモニウムプロピオネートとしては、Ｎ，Ｎ−ジデシル−Ｎ−メチル−ポリ（オキシエチル）アンモニウムプロピオネートが望ましい。
【００６２】
また、本発明の第３実施形態に係る洗浄剤組成物は、塩化ジデシルジメチルアンモニウムを含まない。そのため、本発明の第３実施形態に係る洗浄剤組成物は、金属腐食性が抑えられている。
【００６３】
本発明の第３実施形態に係る洗浄剤組成物は、アルカリ剤を含む。そのため、アルカリ洗浄剤として機能する。
本発明の第３実施形態に係る洗浄剤組成物に含まれるアルカリ剤としては、特に限定されないが、水酸化ナトリウムや水酸化カリウム等のアルカリ金属の水酸化物、メタ／オルソケイ酸ナトリウムやメタ／オルソケイ酸カリウム等のアルカリ金属のケイ酸塩、炭酸ナトリウムや炭酸カリウム等のアルカリ金属の炭酸塩、及び、モノエタノールアミンやジエタノールアミンやトリエタノールアミン等のアルカノールアミンが挙げられる。
これらの中では、水酸化ナトリウム、水酸化カリウム及びエタノールアミンが望ましい。
これらのアルカリ剤は１種単独で使用してもよく、２種以上を併用してもよい。
【００６４】
また、本発明の第３実施形態に係る洗浄剤組成物には、ポリオキシアルキレンアルキルエーテルが含まれているので、洗浄力及び起泡力が高い。
【００６５】
本発明の第３実施形態に係る洗浄剤組成物において、ポリオキシアルキレンアルキルエーテルのアルキル基の炭素数は、８〜１８個であることが望ましい。
また、ポリオキシアルキレンアルキルエーテルのオキシアルキレン基は、オキシエチレン基及び／又はオキシプロプレン基であることが望ましい。また、オキシアルキレン基の数は、６〜２０個であることが望ましい。
【００６６】
本発明の第３実施形態に係る洗浄剤組成物には、アルキルグルコシドが含まれているので、洗浄力が高い。また、アルキルグルコシドにより、他の成分が可溶化しやすくなる。
【００６７】
本発明の第３実施形態に係る洗浄剤組成物において、アルキルグルコシドのアルキル基の炭素数は、８〜１８個であることが望ましい。
【００６８】
本発明の第３実施形態に係る洗浄剤組成物は、アルキルアミンオキシドを含むので、洗浄力及び起泡力が高く、スプレーガンやフォーマーを使った発泡洗浄ができる。
【００６９】
また、本発明の第３実施形態に係る洗浄剤組成物において、アルキルアミンオキシドのアルキル基の炭素数は、８〜１８個であることが望ましい。
【００７０】
本発明の第３実施形態に係る洗浄剤組成物では、アルカリ剤の含有量は、１〜２０重量％であることが望ましく、８〜２０重量％であることがより望ましい。
【００７１】
本発明の第３実施形態に係る洗浄剤組成物では、ジアルキルメチルポリオキシエチルアンモニウムプロピオネートの含有量は、０．１〜２０重量％であることが望ましく、１〜５重量％であることがより望ましい。
【００７２】
本発明の第３実施形態に係る洗浄剤組成物では、ポリオキシアルキレンアルキルエーテルの含有量は、１〜１５重量％であることが望ましく、１〜５重量％であることがより望ましい。
【００７３】
本発明の第３実施形態に係る洗浄剤組成物では、アルキルグルコシドの含有量は、１〜１０重量％であることが望ましく、１〜５重量％であることがより望ましい。
【００７４】
本発明の第３実施形態に係る洗浄剤組成物では、アルキルアミンオキシドの含有量は、１〜１０重量％であることが望ましく、３〜８重量％であることがより望ましい。
【００７５】
本発明の第３実施形態に係る洗浄剤組成物の１００倍希釈時のｐＨは、１１〜１３であることが望ましい。
【００７６】
本発明の第３実施形態に係る洗浄剤組成物は、２〜１０重量％の濃度となるように水で希釈して使用することが望ましい。また、床や調理台など厨房環境全般の洗浄・除菌を行う為に使用することが望ましい。
【００７７】
（第４実施形態）
本発明の第４実施形態に係る洗浄剤組成物は、溶剤と、塩酸アルキルジ（アミノエチル）グリシンと、ナトリウムアルキルジ（アミノエチル）グリシンと、テトラアルキルアンモニウムカーボネートと、アルキルアミンオキシドとを含むことを特徴とする。
【００７８】
本発明の第４実施形態に係る洗浄剤組成物では、塩酸アルキルジ（アミノエチル）グリシンと、ナトリウムアルキルジ（アミノエチル）グリシンと、テトラアルキルアンモニウムカーボネートを含む。塩酸アルキルジ（アミノエチル）グリシンと、ナトリウムアルキルジ（アミノエチル）グリシンと、テトラアルキルアンモニウムカーボネートは、殺菌作用を有するので、本発明の第４実施形態に係る洗浄剤組成物は、充分な殺菌力を有する。
また、塩酸アルキルジ（アミノエチル）グリシンのアルキル基の炭素数は、８〜１８個であることが望ましい。
また、ナトリウムアルキルジ（アミノエチル）グリシンのアルキル基の炭素数は、８〜１４個であることが望ましい。
また、テトラアルキルアンモニウムカーボネートは、ジアルキルジメチルアンモニウムカーボネートであってもよく、このアルキル基の炭素数は、８〜１４個であることが望ましい。
【００７９】
また、本発明の第４実施形態に係る洗浄剤組成物は、塩化ジデシルジメチルアンモニウムを含まない。そのため、本発明の第４実施形態に係る洗浄剤組成物は、金属腐食性が抑えられている。
【００８０】
本発明の第４実施形態に係る洗浄剤組成物は、溶剤を含む。
溶剤としては、エタノール、グリセリン、プロピレングリコール、へキシレングリコール、ジエチレングリコールモノブチルエーテル等が挙げられる。
【００８１】
本発明の第４実施形態に係る洗浄剤組成物は、アルキルアミンオキシドを含むので、洗浄力及び起泡力が高く、スプレーガンやフォーマーを使った発泡洗浄ができる。
【００８２】
本発明の第４実施形態に係る洗浄剤組成物において、アルキルアミンオキシドの脂肪酸の炭素数は、８〜１８個であることが望ましい。
【００８３】
本発明の第４実施形態に係る洗浄剤組成物では、溶剤の含有量は、０．１〜１．５重量％であることが望ましく、０．５〜１．２重量％であることがより望ましい。
【００８４】
本発明の第４実施形態に係る洗浄剤組成物では、塩酸アルキルジ（アミノエチル）グリシンの含有量は、０．２５〜１．２５重量％であることが望ましく、０．２５〜０．５重量％であることがより望ましい。
【００８５】
本発明の第４実施形態に係る洗浄剤組成物では、ナトリウムアルキルジ（アミノエチル）グリシンの含有量は、０．２５〜１．２５重量％であることが望ましく、０．２５〜０．５重量％であることがより望ましい。
【００８６】
本発明の第４実施形態に係る洗浄剤組成物では、テトラアルキルアンモニウムカーボネートの含有量は、０．２５〜１．２５重量％であることが望ましく、０．２５〜０．５重量％であることがより望ましい。
【００８７】
本発明の第４実施形態に係る洗浄剤組成物では、アルキルアミンオキシドの含有量は、０．１〜５．０重量％であることが望ましく、１．０〜４．０重量％であることがより望ましい。
【００８８】
本発明の第４実施形態に係る洗浄剤組成物の各成分が上記の範囲であると、配合バランスがよく、効率よく殺菌することができる。
【００８９】
本発明の第４実施形態に係る洗浄剤組成物の１００倍希釈時のｐＨは、６〜８であることが望ましい。
【００９０】
本発明の第４実施形態に係る洗浄剤組成物は、トイレや浴室の洗浄・除菌に使用することが望ましい。
【００９１】
（第５実施形態）
本発明の第５実施形態に係る洗浄剤組成物は、アルカリ剤と、溶剤と、ジメチルジオクチルアンモニウムクロライドと、アルキルヒドロキシエチルアンモニウムクロライドと、ポリオキシアルキレンアルキルエーテルと、アルキルアミンオキシドとを含むことを特徴とする。
【００９２】
本発明の第５実施形態に係る洗浄剤組成物では、第四級アンモニウム塩として、ジメチルジオクチルアンモニウムクロライド及びアルキルヒドロキシエチルアンモニウムクロライドを含む。これら化合物は、殺菌作用を有するので、本発明の第５実施形態に係る洗浄剤組成物は、充分な殺菌力を有する。
なお、アルキルヒドロキシエチルアンモニウムクロライドとしては、アルキルジメチルヒドロキシアンモニウムクロライドであることが望ましい。また、アルキルジメチルヒドロキシアンモニウムクロライドのアルキル基の炭素数は、８〜１４個であることが望ましい。
【００９３】
また、本発明の第５実施形態に係る洗浄剤組成物は、塩化ジデシルジメチルアンモニウムを含まない。そのため、本発明の第５実施形態に係る洗浄剤組成物は、金属腐食性が抑えられている。
【００９４】
本発明の第５実施形態に係る洗浄剤組成物は、アルカリ剤を含む。そのため、アルカリ洗浄剤として機能する。
本発明の第５実施形態に係る洗浄剤組成物に含まれるアルカリ剤としては、特に限定されないが、水酸化ナトリウムや水酸化カリウム等のアルカリ金属の水酸化物、ケイ酸ナトリウムやケイ酸カリウム等のアルカリ金属のケイ酸塩、炭酸ナトリウムや炭酸カリウム等のアルカリ金属の炭酸塩、及び、モノエタノールアミンやジエタノールアミンやトリエタノールアミン等のアルカノールアミンが挙げられる。
これらの中では、水酸化ナトリウム、水酸化カリウム及びエタノールアミンが望ましい。
これらのアルカリ剤は１種単独で使用してもよく、２種以上を併用してもよい。
【００９５】
本発明の第５実施形態に係る洗浄剤組成物は、溶剤を含む。
溶剤としては、エタノール、グリセリン、プロピレングリコール、へキシレングリコール、ジエチレングリコールモノブチルエーテル等が挙げられる。
【００９６】
また、本発明の第５実施形態に係る洗浄剤組成物には、ポリオキシアルキレンアルキルエーテルが含まれているので、洗浄力及び起泡力が高い。
【００９７】
本発明の第５実施形態に係る洗浄剤組成物において、ポリオキシアルキレンアルキルエーテルのアルキル基の炭素数は、８〜１８個であることが望ましい。
また、ポリオキシアルキレンアルキルエーテルのオキシアルキレン基は、オキシエチレン基及び／又はオキシプロプレン基であることが望ましい。また、オキシアルキレン基の数は、６〜２０個であることが望ましい。
【００９８】
本発明の第５実施形態に係る洗浄剤組成物は、アルキルアミンオキシドを含むので、洗浄力及び起泡力が高く、スプレーガンやフォーマーを使った発泡洗浄ができる。
【００９９】
また、本発明の第５実施形態に係る洗浄剤組成物において、アルキルアミンオキシドのアルキル基の炭素数は、８〜１８個であることが望ましい。
【０１００】
本発明の第５実施形態に係る洗浄剤組成物では、アルカリ剤の含有量は、３〜３０重量％であることが望ましく、１５〜２５重量％であることがより望ましい。
【０１０１】
本発明の第５実施形態に係る洗浄剤組成物では、溶剤の含有量は、１〜１０重量％であることが望ましく、２〜７重量％であることがより望ましい。
【０１０２】
本発明の第５実施形態に係る洗浄剤組成物では、ジメチルジオクチルアンモニウムクロライドの含有量は、０．１〜２０重量％であることが望ましく、２〜４重量％であることがより望ましい。
【０１０３】
本発明の第５実施形態に係る洗浄剤組成物では、アルキルヒドロキシエチルアンモニウムクロライドの含有量は、０．１〜２０重量％であることが望ましく、２〜４重量％であることがより望ましい。
【０１０４】
本発明の第５実施形態に係る洗浄剤組成物では、ポリオキシアルキレンアルキルエーテルの含有量は、１〜１５重量％であることが望ましく、５〜１０重量％であることがより望ましい。
【０１０５】
本発明の第５実施形態に係る洗浄剤組成物では、アルキルアミンオキシドの含有量は、０．１〜２０重量％であることが望ましく、５〜１２重量％であることがより望ましい。
【０１０６】
本発明の第５実施形態に係る洗浄剤組成物の１００倍希釈時のｐＨは、９〜１２であることが望ましい。
【０１０７】
本発明の第５実施形態に係る洗浄剤組成物は、床や調理台など厨房環境全般の洗浄・除菌を行う為に使用することが望ましい。
【０１０８】
（第６実施形態）
本発明の第６実施形態に係る洗浄剤組成物は、アルカリ剤と、溶剤と、テトラアルキルアンモニウムアジペートと、アルキルアミンオキシドとを含むことを特徴とする。
【０１０９】
本発明の第６実施形態に係る洗浄剤組成物は、第四級アンモニウム塩として、テトラアルキルアンモニウムアジペートを含む。テトラアルキルアンモニウムアジペートは、殺菌作用を有するので、本発明の第６実施形態に係る洗浄剤組成物は、充分な殺菌力を有する。
また、テトラアルキルアンモニウムアジペートは、ジデシルジメチルアンモニウムアジペートであることが望ましい。
【０１１０】
また、本発明の第６実施形態に係る洗浄剤組成物は、塩化ジデシルジメチルアンモニウムを含まない。そのため、本発明の第６実施形態に係る洗浄剤組成物は、金属腐食性が抑えられている。
【０１１１】
本発明の第６実施形態に係る洗浄剤組成物は、アルカリ剤を含む。そのため、アルカリ洗浄剤として機能する。
本発明の第６実施形態に係る洗浄剤組成物に含まれるアルカリ剤としては、特に限定されないが、水酸化ナトリウムや水酸化カリウム等のアルカリ金属の水酸化物、ケイ酸ナトリウムやケイ酸カリウム等のアルカリ金属のケイ酸塩、炭酸ナトリウムや炭酸カリウム等のアルカリ金属の炭酸塩、及び、モノエタノールアミンやジエタノールアミンやトリエタノールアミン等のアルカノールアミンが挙げられる。
これらの中では、水酸化ナトリウム、水酸化カリウム及びエタノールアミンが望ましい。
これらのアルカリ剤は１種単独で使用してもよく、２種以上を併用してもよい。
【０１１２】
本発明の第６実施形態に係る洗浄剤組成物は、溶剤を含む。
溶剤としては、エタノール、グリセリン、プロピレングリコール、へキシレングリコール、ジエチレングリコールモノブチルエーテル等が挙げられる。
【０１１３】
本発明の第６実施形態に係る洗浄剤組成物は、アルキルアミンオキシドを含むので、洗浄力及び起泡力が高く、スプレーガンやフォーマーを使った発泡洗浄ができる。
【０１１４】
また、本発明の第６実施形態に係る洗浄剤組成物において、アルキルアミンオキシドのアルキル基の炭素数は、８〜１８個であることが望ましい。
【０１１５】
本発明の第６実施形態に係る洗浄剤組成物では、アルカリ剤の含有量は、３〜１０重量％であることが望ましく、５〜１０重量％であることがより望ましい。
【０１１６】
本発明の第６実施形態に係る洗浄剤組成物では、溶剤の含有量は、１〜１０重量％であることが望ましく、１〜５重量％であることがより望ましい。
【０１１７】
本発明の第６実施形態に係る洗浄剤組成物では、テトラアルキルアンモニウムアジペートの含有量は、０．０１〜０．１５重量％であることが望ましく、０．０１〜０．０５重量％であることがより望ましい。
【０１１８】
本発明の第６実施形態に係る洗浄剤組成物では、アルキルアミンオキシドの含有量は、０．１〜３．０重量％であることが望ましく、１．０〜３．０重量％であることがより望ましい。
【０１１９】
本発明の第６実施形態に係る洗浄剤組成物の各成分が上記の範囲であると、配合バランスがよく、効率よく殺菌することができる。
【０１２０】
本発明の第６実施形態に係る洗浄剤組成物の１００倍希釈時のｐＨは、８〜１１であることが望ましい。
【０１２１】
本発明の第６実施形態に係る洗浄剤組成物は、テーブルやガラスなど飲食店の店舗清掃に使用することが望ましい。
【０１２２】
（第７実施形態）
本発明の第７実施形態に係る洗浄剤組成物は、溶剤と、アルキルイミダゾリン型カチオン界面活性剤と、テトラアルキルアンモニウムメトサルフェートと、ポリオキシアルキレンアルキルエーテルと、有機酸とを含むことを特徴とする。
【０１２３】
本発明の第７実施形態に係る洗浄剤組成物は、アルキルイミダゾリン型カチオン界面活性剤及びテトラアルキルアンモニウムメトサルフェートを含む。これら化合物は、殺菌作用を有するので、本発明の第７実施形態に係る洗浄剤組成物は、充分な殺菌力を有する。
【０１２４】
本発明の第７実施形態に係る洗浄剤組成物では、テトラアルキルアンモニウムメトサルフェートは、ジデシルジメチルアンモニウムメトサルフェートであることが望ましい。
【０１２５】
また、本発明の第７実施形態に係る洗浄剤組成物は、塩化ジデシルジメチルアンモニウムを含まない。そのため、本発明の第７実施形態に係る洗浄剤組成物は、金属腐食性が抑えられている。
【０１２６】
本発明の第７実施形態に係る洗浄剤組成物は、溶剤を含む。
溶剤としては、エタノール、グリセリン、プロピレングリコール、へキシレングリコール、ジエチレングリコールモノブチルエーテル等が挙げられる。
【０１２７】
また、本発明の第７実施形態に係る洗浄剤組成物には、ポリオキシアルキレンアルキルエーテルが含まれているので、洗浄力が高い。
【０１２８】
本発明の第７実施形態に係る洗浄剤組成物において、ポリオキシアルキレンアルキルエーテルのアルキル基の炭素数は、８〜１８個であることが望ましい。
また、ポリオキシアルキレンアルキルエーテルのオキシアルキレン基は、オキシエチレン基及び／又はオキシプロプレン基であることが望ましい。また、オキシアルキレン基の数は、２０〜５０個であることが望ましい。
【０１２９】
本発明の第７実施形態に係る洗浄剤組成物は有機酸を含む。
有機酸は、クエン酸及びリンゴ酸からなる群から選択される少なくとも１種であることが望ましい。
【０１３０】
本発明の第７実施形態に係る洗浄剤組成物において、溶剤の含有量は、１〜１５重量％であることが望ましく、１〜１０重量％であることがより望ましい。
【０１３１】
本発明の第７実施形態に係る洗浄剤組成物において、アルキルイミダゾリン型カチオン界面活性剤の含有量は、５〜１５重量％であることが望ましく、４〜１２重量％であることがより望ましい。
【０１３２】
本発明の第７実施形態に係る洗浄剤組成物において、テトラアルキルアンモニウムメトサルフェートの含有量は、０．１〜１０重量％であることが望ましく、０．２５〜１．０重量％であることがより望ましい。
【０１３３】
本発明の第７実施形態に係る洗浄剤組成物において、ポリオキシアルキレンアルキルエーテルの含有量は、１〜１０重量％であることが望ましく、１〜５重量％であることがより望ましい。
【０１３４】
本発明の第７実施形態に係る洗浄剤組成物において、有機酸の含有量は、０．１〜５重量％であることが望ましく、０．５〜１重量％であることがより望ましい。
【０１３５】
本発明の第７実施形態に係る洗浄剤組成物の各成分が上記の範囲であると、配合バランスがよく、効率よく殺菌することができる。
【０１３６】
本発明の第７実施形態に係る洗浄剤組成物の１００倍希釈時のｐＨは、５〜６であることが望ましい。
【０１３７】
本発明の第７実施形態に係る洗浄剤組成物は、柔軟剤として使用してもよく、洗浄剤として使用してもよい。
【０１３８】
（その他の構成）
上記本発明の第１実施形態〜第７実施形態に係る洗浄剤組成物は、さらにキレート剤、消泡剤、香料等の成分を含んでいてもよい。
【０１３９】
キレート剤としては、特に限定されないが、エチレンジアミンテトラ酢酸（ＥＤＴＡ）、ヒドロキシエチルエチレンジアミントリ酢酸（ＨＥＤＴＡ）、ニトリロトリ酢酸（ＮＴＡ）、ジエチレントリアミンペンタ酢酸（ＤＴＰＡ）、２−ホスホノブタン−１，２，４−トリカルボン酸、エチレンジアミンコハク酸（ＥＤＤＳ）、ヒドロキシエチルイミノ二酢酸（ＨＩＤＡ）、グルタミン酸二酢酸（ＧＬＤＡ）、メチルグリシン二酢酸（ＭＧＤＡ）、アスパラギン酸二酢酸（ＡＳＤＡ）、ヒドロキシエチリデンジホスホン酸（ＨＥＤＰ）、ニトリロトリスメチレンホスホン酸（ＮＴＭＰ）、ホスホノブタントリカルボン酸（ＰＢＴＣ）、エチレンジアミンテトラメチレンホスホン酸（ＥＤＴＭＰ）及びこれらの塩、並びに、トリポリリン酸、ヘキサメタリン酸塩等が挙げられる。
【０１４０】
消泡剤としては、特に限定されないが、シリコーン系消泡剤等が挙げられる。
【０１４１】
（実施例）
表１に示す処方に従い、実施例１〜８に係る洗浄剤組成物を作製した。
なお、表１において、「％」は重量％を意味する。
【０１４２】
【表１】
2019104794.tif 000002
【０１４３】
なお、実施例で使用した試薬の製造元等は以下の通りである。
ジデシルジメチルアンモニウムメトサルフェート：「リポカード２１０−８０ＭＳＰＧ」（ライオン・スペシャリティ・ケミカルズ株式会社製）
ジメチルジオクチルアンモニウムクロライド：「ＢＡＲＤＡＣ  ＬＦ−８０」（ロンザジャパン株式会社製）
ヘキサデシルトリメチルアンモニウムメトサルフェート：「リポカード１６−３０ＭＳＫ」（ライオン・スペシャリティ・ケミカルズ株式会社製）
Ｎ，Ｎ−ジデシル−Ｎ−メチル−ポリ（オキシエチル）アンモニウムプロピオネート：「Ｂａｒｄａｐ２６」（ロンザジャパン株式会社製）
塩酸アルキルジ（アミノエチル）グリシン：「レボンＴ−２」（三洋化成工業株式会社製）
ナトリウムアルキルジ（アミノエチル）グリシン：「レボンＳ」（三洋化成工業株式会社製）
テトラアルキルアンモニウムカーボネート：「ＣａｒｂｏｑｕａｔＭＷ５０」（ロンザジャパン株式会社製）
アルキルジメチルヒドロキシエチルアンモニウムクロライド：「プレパーゲンＨＹ」（クラリアントジャパン株式会社製）
テトラアルキルアンモニウムアジペート：「オスモリンＤＡ−５０」（三洋化成工業株式会社製）
アルキルイミダゾリン型カチオン界面活性剤：「カチオン  ＳＦ−７５ＰＡ」（三洋化成工業株式会社製）
ポリヘキサメチレンビグアナイド：「プロキセルＩＢ」（ロンザジャパン株式会社製）
オクタデシルジメチル（３−トリメトキシシリルプロピル）アンモニウムクロライド：「ＡＥＭ５７００」Ｍｉｃｒｏｂａｎ  Ｉｎｔｅｒｎａｔｉｏｎａｌ，  Ｌｔｄ．製
水酸化カリウム：「液体苛性カリ」（旭硝子株式会社製）
水酸化ナトリウム：「液体苛性ソーダ」（旭硝子株式会社製）
メタケイ酸ナトリウム・５水和物：「メタケイ酸ソーダ（５水塩）」（日本化学工業株式会社製）
モノエタノールアミン：「モノエタノールアミン」（日本触媒株式会社製）
エタノール：「発酵アルコール」（合同酒精株式会社製）
グリセリン：「グリセリン」（阪本薬品工業株式会社製）
ジエチレングリコールモノブチルエーテル：「ブチセノール２０」（協和発酵工業株式会社製）
ポリオキシアルキレンアルキルエーテル（ＥＯ１０）：「ノイゲンＸＬ−１００」（第一工業製薬株式会社製）
ポリオキシエチレンアルキルエーテル（ＥＯ４０）：「ナロアクティーＣＬ４００」（三洋化成工業株式会社製）
脂肪酸ジエタノールアミド：「アミコールＣＤＥ−Ｇ」（ミヨシ油脂株式会社製）
アルキルグルコシド：「トライトンＣＧ−６５０」（ダウケミカル株式会社製）
アルキルアミンオキシド（Ｃ８−１８）：「タイポールソフトＡＯＣ３０」（泰光油脂化学工業株式会社製）
クエン酸：「クエン酸」（磐田化学株式会社製）
リンゴ酸：「リンゴ酸」（磐田化学株式会社製）
ＥＤＴＡ−４Ｎａ：「キレスト３Ｄ」（キレスト株式会社製）
ＥＤＴＡ−４Ｈ：「キレスト３Ａ」（キレスト株式会社製）
シリコーン系消泡剤：「ＫＭ−７３」（信越シリコーン株式会社製）
【０１４４】
（洗浄力評価）
実施例１〜８に係る液体洗浄剤組成物について、洗浄力の評価を以下の手順で行った。結果を表１に示す。
ステンレス板（６ｃｍ×６ｃｍ）に複合汚れ（大豆白絞油：牛脂：薄力粉＝８５：５：１０）を０．２ｇを塗り、１０分間放置し、モデル汚れとした。
汚れの付いたステンレス板を所定濃度（実施例１：２５０倍、実施例２：２００倍、実施例３：２５倍、実施例４：１倍、実施例５：２５０倍、実施例６：５倍、実施例７：１０倍、実施例８：１０倍）に希釈した洗浄液中に浸漬し、一定時間浸漬後の汚れの落ち具合を目視で評価した。
評価基準は以下の通りである。
◎：７５％以上の汚れが除去されている。
○：５０％を超え、７５％未満の汚れが除去されている。
×：５０％以上の汚れが付着している。
【０１４５】
（殺菌力評価）
実施例１〜８に係る液体洗浄剤組成物について、殺菌力の評価を以下の手順で行った。
菌株として、大腸菌（Ｅｓｃｈｅｒｉｃｈｉａ  ｃｏｌｉ）ＮＢＲＣ３９７２、黄色ブドウ球菌（Ｓｔａｐｈｙｌｏｃｏｃｃｕｓ  ａｕｒｅｕｓ）ＮＢＲＣ１２７３２を準備した。各菌株を普通ブイヨン培地で３５℃、２４時間振とう培養し、１０７〜１０９ＣＦＵ／ｍＬの試験菌液をそれぞれ調製した。次に、菌液０．１ｍＬを各実施例及び各比較例で調製した液体洗浄剤組成物の希釈液（実施例１：７５０倍、実施例２：１０００倍、実施例３：１２５倍、実施例４：５倍、実施例５：１２５０倍、実施例６：２５倍、実施例７：５０倍、実施例８：５０倍）１０ｍＬに加え、混合後、室温℃で３０秒又は６０秒作用させた。その後、混合液をＳＣＤＬＰ培地に１白金耳移植し、３５℃、４８時間培養後、菌の有無を判定した。結果を表１に示す。
評価基準は以下の通りである。
○：大腸菌及び黄色ブドウ球菌の両方に対し、殺菌効果がある。
×：大腸菌及び／又は黄色ブドウ球菌に対し、殺菌効果がない。
【０１４６】
（金属腐食性評価）
実施例１〜８に係る液体洗浄剤組成物について、金属腐食性の評価を以下の手順で行った。結果を表１に示す。
金属試験片（２ｃｍ×４ｃｍ、厚さ０．３ｍｍ，アルミニウム：Ａ１０５０ＪＩＳＨ４０００−８８  日本テストパネル製）を所定濃度（実施例１：２５０倍、実施例２：２００倍、実施例３：２５倍、実施例４：１倍、実施例５：２５０倍、実施例６：５倍、実施例７：１０倍、実施例８：１０倍）に希釈した試験液５０ｍＬに１０分間浸漬し、すすぎ、乾燥させた。この操作を６回繰り返した（液温：２５−３０℃）。
これらの操作後の外観から金属腐食性を評価した。
評価基準は以下の通りである。
○：金属光沢がある
×：金属光沢がない